(57)【要約】【課題】型がそのそれぞれのキャリアから回路が接続解除されたときに高温流体が圧力で噴出する危険性を低減すると同時に、型をそのキャリアに接続することが容易な型を提供する。【解決手段】取り外し可能な型（３）が流体接続手段（４）を介して接続される少なくとも１つのキャリア（２）と、前記キャリア及び前記型を通過する少なくとも１つの加圧・温度制御された流体の回路（５）と、キャリア（２）に設けられて回路（５）を自動で遮断する手段と、を備え、回路（５）は、少なくとも１つのチャンバ（８）に流体接続されており、チャンバ（８）は、所定の圧力で補助流体を生成する手段（９）によって当該チャンバ（８）に付与された外部圧力に応じた可変容積を有し、所定の圧力は、温度制御された流体の圧力と大気圧との間で調節可能であり、加圧・温度制御された流体は、所定の圧力を用いた減圧によって前記チャンバ（８）内で低減される。【選択図】図１
2010023514.tif 000002
【特許請求の範囲】
【請求項１】
中空の熱可塑性体、特にボトルのような容器をブロー成形する装置であって、それぞれ取り外し可能な型（３）が流体接続手段（４）を介して接続された少なくとも１つの型キャリア（２）を備え、
当該装置は、少なくとも１つの加圧・温度制御された流体の回路（５）であって少なくとも１つの前記キャリア（２）及びそれぞれの前記型（３）を通過する回路（５）と、少なくとも１つの前記キャリア（２）に設けられた前記回路（５）を遮断する自動的手段と、を備える装置において、
当該装置は、
−  加圧・温度制御された流体の前記回路（５）に流体接続した状態で設けられた少なくとも１つの可変容積チャンバ（８）を備える少なくとも１つの筐体（７）と、
−  調節可能に加圧された補助流体の生成手段（９）であって、前記回路（５）内にある加圧・温度制御された流体の圧力にほぼ等しい最大圧力と大気圧にほぼ等しい最小圧力との間で変更することができ、当該生成手段（９）が前記可変容積チャンバ（８）の外部にある前記筐体（７）に接続され、前記可変容積チャンバ（８）が圧力調節可能な前記補助流体の反対圧力を受ける生成手段（９）と、
を備え、
前記型（３）がそのそれぞれの前記キャリア（２）から接続解除される前に、前記補助流体の反対圧力は、その最大圧力からほぼその最小圧力まで低減され、加圧・温度制御された流体の圧力は、当該圧力がほぼ大気圧となるまで前記可変容積チャンバ（８）内で低減され、
前記回路（５）を遮断する前記自動的手段が機能しないときに前記型（３）がそのそれぞれの前記キャリア（２）から接続解除された場合に、加圧・温度制御された前記流体が前記キャリア（２）から噴出する危険性を低減することを特徴とする装置。
【請求項２】
前記筐体（７）は、それぞれ容積が可変である２つの第１及び第２チャンバ（８、１２）に当該筐体を分割する移動可能な内壁部（１１）を備え、
前記第１チャンバ（８）は、加圧・温度制御された流体の前記回路（５）に流体接続されており、
前記第２チャンバ（１２）は、調節可能に加圧された補助流体の前記生成手段（９）に流体接続されていることを特徴とする請求項１に記載の装置。
【請求項３】
前記筐体（７）は、前記第１及び第２チャンバ（８、１２）を形成する変形可能な内部ダイアフラムを備える空気袋であることを特徴とする請求項２に記載の装置。
【請求項４】
前記筐体（７）は、前記第１及び第２チャンバ（８、１２）を形成する変形可能な内部ダイアフラムを備えるほぼ硬質の筐体であることを特徴とする請求項２に記載の装置。
【請求項５】
前記筐体（７）は、前記第１及び第２チャンバ（８、１２）を形成する移動可能な内壁部を備えるほぼ硬質の筐体であることを特徴とする請求項２に記載の装置。
【請求項６】
前記筐体（７）は、前記第１及び第２チャンバ（８、１２）を形成するピストンを有するシリンダであることを特徴とする請求項２に記載の装置。
【請求項７】
調節可能な流体の前記生成手段（９）は、オールオアナッシング基準で動作し、温度制御された流体の前記回路（５）内の温度制御された流体の圧力にほぼ等しい圧力で補助流体を供給するか、前記第２チャンバ（１２）を大気圧に接続するか、を選択的に行うことを特徴とする請求項２から６のいずれか１項に記載の装置。
【請求項８】
補助流体の前記生成手段（９）は、
−  温度制御された流体の前記回路（５）内の温度制御された流体の圧力にほぼ等しい圧力の補助流体の生成器（３１）と、
−  選択バルブ（３２）であって、
・  前記第２チャンバ（１２）に接続された出口開口部と、
・  補助流体の前記生成器（３１）に接続された第１入口開口部と、
・  大気圧に接続された第２入口開口部と、
・  前記出口開口部を前記第１または第２入口開口部の一方に接続する選択器と、
を有する選択バルブ（３２）と、
を備えることを特徴とする請求項７に記載の装置。
【請求項９】
加圧・温度制御された流体の前記回路（５）は、
−  バルブ（１５）を備える第１メインライン（１４）であって、前記筐体（７）が、前記バルブ（１５）と前記キャリア（２）をそれぞれの前記型（３）に流体接続する前記流体接続手段（４）との間で当該第１メインライン（１４）に流体接続して設けられている第１メインライン（１４）と、
−  バルブ（１８）を備え、前記流体接続手段（４）及び前記型（３）を介して前記第１メインライン（１４）に接続可能な第２メインライン（１７）と、
−  前記第１及び第２メインライン（１４、１７）を接続する横方向の温度制御ライン（１９）であって、当該温度制御ライン（１９）が、加圧された流体の温度制御器（３０）と加圧・温度制御された前記流体を前記回路（５）の周囲にポンピングする手段（２０）とを有する温度制御ライン（１９）と、
−  前記第１及び第２メインライン（１４、１７）を接続する横方向のバイパスライン（２１）であって、当該バイパスラインがバルブ（２２）を有し、前記バルブ（２２）が、当該バルブ（２２）の閉鎖位置において、横方向の前記温度制御ライン（１９）を通って、前記第１及び第２メインライン（１４、１７）を通って、及び前記型（３）であって当該型それぞれの前記キャリア（２）に接続された型（３）を通って加圧・温度制御された流体が流動することを可能とするバイパスライン（２１）と、
を備え、
前記第１メインライン（１４）にある前記バルブ（１５）は、前記筐体（７）と横方向の前記バイパスライン（２１）の接続部（２３）との間に位置付けられる一方、
前記第２メインライン（１７）にある前記バルブ（１８）は、前記キャリア（２）をそれぞれの前記型（３）に流体接続する前記流体接続手段（４）のための接続部（２４）と横方向の前記バイパスライン（２１）への接続部（２５）との間に位置付けられていることを特徴とする請求項１から８のいずれか１項に記載の装置。
【請求項１０】
前記第２メインライン（１７）は、当該第２メインライン（１７）に接続される前記バルブ（１８）の両側に位置付けられた２つの圧力計（２６、２７）を備えることを特徴とする請求項９に記載の装置。
【請求項１１】
圧力スイッチ（２９）は、前記第２メインライン（１７）にある前記バルブ（１８）と前記キャリア（２）を前記第２メインライン（１７）に流体接続する前記流体接続手段（４）のための前記接続部（２４）との間において前記第２メインライン（１７）に設けられていることを特徴とする請求項９または１０に記載の装置。
【発明の詳細な説明】
【技術分野】
【０００１】
本発明は、概ねＰＥＴのような熱可塑性材料の中空体、特にボトルのような容器をブロー成形する装置であって、当該装置が、少なくとも１つの型キャリアであって取り外し可能なブロー型が接続される型キャリアを備える装置に関する。本発明は、特に複数の取り外し可能なブロー型それぞれが接続される周辺部にある回転カルーセル(revolving carousel)を備える上記タイプの装置に関する。
【０００２】
より具体的には、本発明は、好ましくではあるが排他的ではなく、高温充填可能な(hot-fillable)中空体、すなわち中間体、主としてボトルであって（殺菌のため）高温液体が充填されなければならない、または（低温殺菌のため）充填、遮断後に加熱処理を受けなければならない中間体のブロー成形を採用する。
【背景技術】
【０００３】
これら中空体のブロー成形について、中空体は、プリフォームのガラス転移点よりも高くプリフォームの結晶化温度よりも低い温度において加熱調節オーブン内で予備加熱された熱可塑性材料のプリフォームからブローされ、型は、（９０℃までの温度における水、または１４０℃までの温度におけるオイルなど）加圧・温度制御された流体を循環させることによって加熱されなければならない。この回路は、型内に部分的に形成され、かつ型それぞれのキャリア内に部分的に形成されている。
【０００４】
異なる中空体を形成する目的で製造ラインの特性を迅速に変更することを可能とするためには、型を迅速に変えることができなければならない。そのため、流体接続手段は、この回路の連続性を可能とするために、型及びそのキャリアの間に設けられていなければならない。
【０００５】
しかしながら、温度制御された流体は、回路内で圧力を受ける。そのため、型がそのそれぞれのキャリアから接続解除されたときに流体がキャリアから噴出する危険性がある。この問題を解決するため、回路に自動遮断手段を取り付けるという従来技術がある。一般には、これら自動遮断手段は、（緊急停止において、または例えば装置のメンテナンス作業のために停止する必要があるときにおいて）ブロー成形装置が停止したときにすぐ自動で動作する。これら自動遮断手段は、同様に、メンテナンス作業者がブロー成型装置の内部へのアクセスを付与するドアを開放したときに始動される。
【０００６】
しかしながら、これら自動遮断手段があるにもかかわらず、これら遮断手段が機能せずかつ型内に残留圧力がある場合に型が接続解除されると、高温高圧の流体がキャリアから噴出する危険性がある。
【０００７】
さらに、温度制御された流体は、型がそのそれぞれのキャリアから接続解除された後に回路内部の圧力で噴出する。そのため、この圧力に対して相当な力をかけなければならないため、型をそのそれぞれのキャリアに再接続することは、比較的困難である。
【発明の概要】
【発明が解決しようとする課題】
【０００８】
この問題を解消するためかつ温度制御された流体がキャリア内に部分的に形成された回路内部で加圧されたままでないようにすることを確実にするため、一部の温度制御された流体を回路から流出するバルブを設けることは、既知の慣習である。そして、この流出した流体は、無駄にされ、失われる。そのため、この解決法は、特に温度制御された流体がオイルであって流体の温度が１００℃を超える場合に、流出が常に液体を噴出させること及びメンテナンス作業者を火傷させる危険性を伴うため、十分でない。いずれにしても、この解決法は、環境の観点から十分でない。
【０００９】
そのため、これら成形装置の場合において、実際には、加圧・温度制御された流体の回路が取り付けられた型であって、回路が、型がそのそれぞれのキャリアから接続解除されたときに高温流体が圧力で噴出する危険性を低減すると同時に、型をそのキャリアに接続することが容易なように構成された型に対する要望がある。
【課題を解決するための手段】
【００１０】
そのため、本発明の目的は、中空熱可塑性材料体、特にボトルのような容器をブロー成形する装置であって、それぞれの取り外し可能な型が流体接続手段を介して接続された少なくとも１つの型キャリアを備える装置を改良することであり、この装置は、少なくとも上記キャリア及びそれぞれの上記型を通過する少なくとも１つの加圧・温度制御された流体の回路と、少なくとも上記キャリアに設けられた上記回路を遮断する自動的手段と、を備え、当該装置は、本発明にしたがって構成されており、
−  加圧・温度制御された流体の上記回路に流体接続された少なくとも１つの可変容積チャンバを備える少なくとも１つの筐体と、
−  調節可能に加圧された補助流体の生成手段であって、上記回路における加圧・温度制御された流体の圧力にほぼ等しい最大圧力と大気圧にほぼ等しい最小圧力との間で変更することができ、当該生成手段が上記チャンバの外部にある上記筐体に接続され、上記可変容積チャンバが圧力調節可能な上記補助流体の反対圧力を受ける生成手段と、
を備えることを特徴とする。
【００１１】
このようにして、型がそのそれぞれのキャリアから接続解除される前に、上記補助流体の反対圧力は、その最大圧力からほぼその最小圧力まで低減され、加圧・温度制御された流体の圧力は、当該圧力がほぼ大気圧となるまで上記可変容積チャンバにおいて低減される。これにより、上記回路を自動的に遮断する上記手段が作動しないときに型がそれぞれのキャリアから接続解除された場合に、加圧・温度制御された流体がキャリアから噴出する危険性が低減される。
【００１２】
１つの有利な形態において、上記筐体は、それぞれ容積が可変である２つのチャンバに上記筐体を分割する移動可能な内壁部を備え、上記第１チャンバは、加圧・温度制御された流体の上記回路に流体接続されており、上記第２チャンバは、調節可能に加圧された補助流体の上記生成手段に流体接続されている。
【００１３】
形態の１つの可能性のある例において、上記筐体は、上記第１及び第２チャンバを形成する変形可能な内部ダイアフラムを備える空気袋であってもよい。しかしながら、上記筐体は、ほぼ硬質の筐体であることがより有利であるように思われる。この場合、１つの可能性において、上記筐体は、上記第１及び第２チャンバを形成する変形可能な内部ダイアフラムを備えるほぼ硬質の筐体である。他の有利な可能性において、上記筐体は、上記第１及び第２チャンバを形成する移動可能な内壁部を備えるほぼ硬質の筐体であり、そして、好ましい具体的な形態において、上記筐体は、上記第１及び第２チャンバを形成するピストンを有するシリンダの形式をなして構成されている。
【００１４】
構成及び動作が簡単な形態の１つの実際の例において、補助流体の生成手段は、オールオアナッシング基準で動作し、温度制御された流体の上記回路における温度制御された流体の圧力にほぼ等しい圧力で補助流体を供給するか、上記ダイ２チャンバを大気圧に接続するか、を選択的に行う。この場合、１つの具体的な形態において、補助流体の上記生成手段は、
−  温度制御された流体の上記回路における温度制御された流体の圧力にほぼ等しい圧力の補助流体の生成器と、
−  選択バルブであって、
・  上記第２チャンバに接続された出口開口部と、
・  補助流体の上記生成器に接続された第１入口開口部と、
・  大気圧に接続された第２入口開口部と、
・  上記出口開口部と選択されたように第１または第２入口開口部の一方との間の接続を設立できる選択器と、
を有する選択バルブと、
を備える。
【００１５】
温度制御された流体を温度制御された流体の回路において大気圧まで低減することを可能とするため、第２の加圧された流体の回路は、加圧された上記補助流体を外部に通気する手段を備えることが望ましい。
【００１６】
１つの実際の実施形態において、温度制御された流体の回路は、
−  バルブを備える第１メインラインであって、上記筐体が、上記バルブとキャリアをそれぞれの型に流体接続する上記手段のための接続部との間において当該第１メインラインに流体接続して設けられている第１メインラインと、
−  バルブを備え、上記流体接続手段及び上記型を介して上記第１メインラインに接続可能な第２メインラインと、
−  上記第１及び第２メインラインを接続する横方向の温度制御ラインであって、当該温度制御ラインが、加圧された流体の温度制御器と加圧・温度制御された上記流体を上記回路の周囲にポンピングする手段とを有する温度制御ラインと、
−  上記第１及び第２メインラインを接続する横方向のバイパスラインであって、当該バイパスラインがバルブを有し、バルブが、当該バルブの閉鎖位置において、横方向の上記温度制御ラインを通って、第１及び第２メインラインを通って、及び型であって当該型それぞれのキャリアに接続された型を通って流動することを可能とするバイパスラインと、
を備え、
上記第１メインラインにある上記バルブは、上記筐体と横方向の上記バイパスラインの接続部との間に位置付けられる一方、上記第２メインラインにある上記バルブは、キャリアをそれぞれの型に流体接続する上記手段のための接続部と横方向のバイパスラインへの接続部との間に位置付けられている。
【００１７】
第２メインラインにあるバルブの動作を確認するため、上記第２メインラインは、有利には、上記第２メインラインに接続された上記バルブの両側に位置付けられた２つの圧力計を備えてもよい。
【００１８】
第２ラインにあるバルブの動作を確認できるようにさらなる安全測定部として、圧力スイッチは、第２メインラインにあるバルブとキャリアを上記第２メインラインに流体接続する上記手段のための上記接続部との間において第２メインラインに設けられてもよい。
【００１９】
本発明は、好ましい例の以下の説明を読むことによってより明確に理解されるであろうが、この例は、単なる具体例であり、本発明の範囲を限定するものではない。説明は、添付の図面を参照する。
【図面の簡単な説明】
【００２０】
【図１】本発明におけるブロー成型装置に形成された温度調節された流体の回路を示すダイアグラムである。
【発明を実施するための形態】
【００２１】
図１のダイアグラムにおいて、中空の熱可塑性体、特にボトルなどの容器をブロー成形する装置１（ブロックとして図式的に示される）は、少なくとも１つの型キャリア２（ブロックとして図式的に示される）であって取り外し可能なブロー型３（ブロックとして図式的に示される）が取り外し可能に接続された型キャリア２を備える。長時間運転の一般的な方法は、装置１を回転カルーセルとして組み立てることであり、複数の型キャリア２は、装置１の周辺部の周囲にあり、複数のそれぞれが取り外し可能なブロー型３は、取り外し可能に型キャリア２に接続されている。
【００２２】
各キャリア２は、それぞれの型３に流体接続するための手段４を備えており、これにより、加圧・温度制御された流体が少なくとも１つの上記キャリア２と上記それぞれの型３の１つとを通って循環するための少なくとも１つの回路５を形成することが可能となり、流体の温度は、温度制御手段６によって制御されている。少なくとも２つの型３が、選択的に同一の温度制御された流体の回路５に接続されてもよい。
【００２３】
温度制御された流体は、水またはオイルの一方であり、したがって型を加熱するために使用され、上記温度制御された流体を輸送するチャネルは、型の中を通って機械加工されている。
【００２４】
それ自体既知の方法において、回路５を自動的に遮断する手段は、キャリア２内に設けられている。これら自動遮断手段は、例えば自動で遮断する停止バルブの形式をなしており、例えば装置１における技術的な出来事を受けてまたは装置１の内部へのアクセスを付与するドアの開放を受けて、装置１が停止すると動作する。
【００２５】
温度制御された流体の回路５は、可変容積チャンバ８を備える筐体７との流体接続を可能とするように接続されている。
【００２６】
調節可能に加圧された補助流体の生成手段９は、上記回路５内にある加圧・温度制御された流体の圧力にほぼ等しい最大圧力と大気圧にほぼ等しい最小圧力との間で上記補助流体の圧力を変更できる。上記生成手段９は、チャンバ８の外部において筐体７に接続されており、上記可変容積チャンバ８は、上記圧力調節可能な補助流体の対向圧力(opposing pressure)を受ける。
【００２７】
したがって、型３がそのそれぞれのキャリア２から接続解除される前に、上記補助流体の対向圧力は、その最大圧力からほぼその最小圧力まで低減され、加圧・温度制御された流体の圧力は、上記可変容積チャンバ８において圧力がほぼ大気圧になるまで低減される。そのため、型３が接続解除されると、回路５における温度制御された流体の圧力は、ほぼ大気圧まで低下されており、回路５を自動で遮断する手段が機能しない場合であっても、加圧・温度制御された流体がキャリア２から噴出する危険性は、低減される。
【００２８】
より正確には、調節可能に加圧された補助流体の生成手段９は、圧縮空気のような加圧された補助流体のための第２回路１０に組み込まれている。第２回路１０は、有利には、上記加圧された補助流体を外部に排気する手段を備えている。
【００２９】
多くの実施形態が可変容積チャンバ８を収容する筐体７について想定されるが、産業の中で実際に見込みのある一実施形態は、筐体７について、完全に封止された内壁部１１であって、移動可能または変形可能のいずれかであり、それぞれが内部容積を可変とした状態である２つのチャンバ８及び１２に上記筐体７を分離する内壁部１１を備えることである。上記に対して同一のチャンバ８である一方のチャンバは、加圧・温度制御された流体の回路５へ流体接続されており、壁部１１によって上記チャンバ８から分離されている第２チャンバ１２は、調節可能に加圧された補助流体の生成手段９への、特に第２すなわち加圧された補助流体の回路１０へ流体接続されている。
【００３０】
１の可能性のある実施形態（図示略）においては、筐体７について、変形可能な一体化されたダイアフラム（例えばゴム）の形式をなす壁部１１であって上記第１及び第２チャンバ８、１２を形成する壁部１１を有する空気袋であってもよい。
【００３１】
１つの有利な実施形態において、上記筐体７は、ほぼ硬質の筐体であってもよい。この場合、筐体７については、例えば上記第１及び第２チャンバ８、１２を形成する変形可能な内部ダイアフラムの形式をなす壁部１１を備えるほぼ硬質の筐体である可能性がある。他の有利な可能性としては、図１に示すように、上記筐体について上記第１及び第２チャンバ８、１２を形成する移動可能な内壁部１１を備えるほぼ硬質の筐体であることであり、好ましい一例の実施形態は、上記筐体７について、シリンダの形式で形成され、上記第１及び第２チャンバ８、１２を形成する移動ピストンをなす壁部１１を有することである。
【００３２】
図１に示すように、第２すなわち加圧された補助流体の回路１０は、圧力計１３を有し、所定圧力で筐体７の第２チャンバ１２へ注入される上記補助流体の圧力を測定する。
【００３３】
原理上は生成手段９が補助流体を任意の調節可能な圧力で供給するように構成されているが、しかしながら、上記補助流体の生成手段９について、上記温度制御された流体の循環回路５における温度制御された流体の圧力にほぼ等しい圧力で補助流体を供給すること、または、上記第２チャンバ１２を大気圧ＡＴＭに接続すること、のいずれか一方で選択的にオールオアナッシングの原理で動作することは、より単純である（かつ要求に完全に適合する）。
【００３４】
具体的には、上記補助流体の生成手段９は、図１に示すように、
−  上記温度制御された流体の回路５において温度制御された流体の圧力にほぼ等しい圧力における補助流体の生成器３１と、
−  選択バルブ３２であって、
・  上記第２チャンバ１２に接続された出口開口部３３と、
・  上記補助流体生成器３１に接続された第１入口開口部３４と、
・  大気圧ＡＴＭに接続された第２入口開口部３５と、
・  上記出口開口部３３を第１または第２入口開口部３４、３５のいずれか一方に接続する選択器３６と、
を有する選択バルブ３２と、
を備える。
【００３５】
１つの出口開口部から他への選択器３６の切り替えは、装置の停止／開始命令に関係し、第２チャンバ１２を大気圧ＡＴＭに通気することは、装置が停止命令を受信すると発生し、装置のスイッチが入ると、逆にチャンバ１２は、自動的に加圧された補助流体の生成器３１に接続される。さらに、大気圧ＡＴＭに接続された出口開口部３５に選択器３６を切り替えることは、好ましくは加圧された補助流体の生成器３１への停止命令に関連している。
【００３６】
図１に示す実際の一例の実施形態において、温度制御された流体の回路５は、
−  （好ましくはソレノイド駆動の）バルブ１５を備える第１メインライン１４であって、当該バルブ１５とキャリア２を型３に流体接続する上記手段４の接続部１６との間において当該第１メインライン１４に筐体７が流体接続された第１メインライン１４と、
−  （好ましくはソレノイド駆動の）バルブ１８を備える第２メインライン１７であって、上記流体接続手段４と型３とを介して第１メインライン１４に接続可能な第２メインライン１７と、
−  第１メインライン１４を第２メインライン１７に接続する横方向の温度制御ライン１９であって、当該ライン１９が温度制御手段６を含み、温度制御手段６が（それ自体既知のタイプからなる）流体温度制御器３０と温度制御された流体の回路５を回る流体をポンピングする手段２０とを備える温度制御ライン１９と、
−  第１メインライン１４を第２メインライン１７に接続する横方向のバイパスライン２１であって、当該ライン２１が（好ましくはソレノイド駆動の）バルブ２２にあり、その閉鎖位置において温度制御された流体が横方向の温度調節ライン１９を通ること、第１及び第２メインライン１４、１７を通ること、及び型それぞれのキャリア２に接続された型３を取ることを可能とするバイパスライン２１と、
を備え、
第１メインライン１４にあるバルブ１５は、筐体７と横方向のバイパスライン２１の接続部２３との間に位置付けられる一方、第２メインライン１７にあるバルブ１８は、キャリア２をそれぞれの型３に接続する手段４についての接続部２４と横方向のバイパスライン２１への接続部２５との間に位置付けられている。
【００３７】
第２メインライン１７は、２つの圧力計２６、２７であって、第２ライン１７にあるバルブ１８の両側に位置付けられており、より具体的には、第１圧力計２６が横方向のバイパスライン２１の接続部２５と第２メインライン１７のバルブ１８との間に接続され、第２圧力計２７が第２メインライン１７のバルブ１８とそれぞれのキャリア２に流体接続する手段４のための接続部２４との間に接続されている２つの圧力計２６、２７を備えている。したがって、バルブ１８の両側にこれら圧力計２６、２７があることにより、第２メインライン１７にあるバルブ１８が正確に作動していることを確認することが可能である。
【００３８】
バルブ１８が第２メインライン１７を閉鎖していることを確実にするため、かつ特別な安全対策として、圧力スイッチ２９は、第２メインライン１７にあるバルブ１８とキャリア２に流体接続する手段４のための接続部２４との間、より具体的には圧力計２７と接続部２４との間において第２メインライン１７に設けられてもよい。
【００３９】
したがって、上述した中空体をブロー成形する装置１を用いて、少なくとも１つの可変容積チャンバ８を収容する筐体７内の温度制御可能な流体の容積を変えることによって、かつ筐体７のチャンバ８に封入されている容積の圧力を変更することによって、温度制御された流体の回路５内の流体の圧力を調節することが可能となる。
【００４０】
より具体的には、ブロー成形装置１の停止を受けて、加圧され圧力制御された流体が噴出する危険性無く型をそのキャリア２から接続解除するため、手順は、以下のようになっており、
−  第１メインライン１４にあるバルブ１５は、閉鎖され、第２メインライン１７にあるバルブ１８は、閉鎖される。
−  横方向のバイパスライン２１にあるバルブ２２は、開放され、したがって、回路５に、より具体的には回路５の温度制御部分に閉ループを形成し、温度が制御される流体が回路５を通って流動できる（閉ループは、有利には、横方向のバイパスライン２１と横方向の温度制御ライン１９とを備える）。ポンプ手段２０は、有利には、閉ループの周囲で温度制御された流体の連続した循環を可能にし、温度制御器の加熱抵抗３１と接触してこの温度制御された流体の過剰な加熱及び劣化を防止することを可能にし、このような劣化は、特に温度制御された流体がオイルの場合に、加熱抵抗と接触する温度制御された流体が澱むことに起因する。
−  回路５における温度制御された流体の圧力より小さい圧力は、筐体７のチャンバ８内で生成される。一般的に言えば、第２回路１０は、排気手段を用いて大気圧に設定されており、上記第２回路には、圧力計１３が０圧力を示す位置において、排気手段及び／または生成手段９が設けられている。
−  加圧・温度制御された流体の圧力は、筐体７内で降下され、同時に筐体７のチャンバ８における温度制御された流体の容積の増大をもたらす。このようにして、筐体７が接続される回路５の一部にある温度制御された流体の圧力は、第２回路１０によって生成された圧力まで降下し、この圧力は、ほぼ大気圧である。ここで、型３がそのキャリア２から接続解除される瞬間に温度制御された流体が回路５から噴出する危険性が無くなる。
【００４１】
同様に、型３をそのそれぞれのキャリア２に取り付けまたは接続することを受けて、かつブロー成形装置１を再スタートさせることを可能とするため、以降の手順は、以下のようになっており、
−  回路５における温度制御された流体の圧力より大きい圧力は、筐体７のチャンバ８内にある温度制御された流体の容積に付与される（横方向の温度制御ライン１９と横方向のバイパスライン２１とによって構成された回路５の閉ループの回りに流動する流体の圧力とほぼ等しい圧力が付与される）。
−  筐体７内の加圧・温度制御された流体は、温度制御された流体の容積をチャンバ８内で圧縮させ、流体の容積は、減少する。したがって、温度制御された流体は、型３が回路５に接続された後に回路５内で加圧される。その結果、型３は、ここでその流体が未だ加圧されていない回路５に接続され、この流体は、型３がそのキャリア２に接続されるまで加圧されず、型３をそのキャリア２に接続するために反対圧力を作り上げる必要がもはやない。
−  第１メインライン１４にあるバルブ１５は、開放され、第２メインライン１７にあるバルブ１８は、開放され、横方向のバイパスライン２１にあるバルブ２２は、閉鎖される。
【００４２】
そのため、本発明において、加圧・温度制御された流体の回路５を遮断する手段があるが、この手段は、第１及び第２メインライン１４、１７にあるバルブ１５、１８で構成されかつ回路５の一部を形成することが可能であり、流体の圧力は、筐体７内で流体を減少させることによって制御される。その結果、型３を通って流動する流体の圧力を低減し、型３がそのキャリア２から接続解除されたときにこの流体が噴出する危険性を低減することが可能となる。
【符号の説明】
【００４３】
２  キャリア、３  型、４  流体接続手段、５  回路、７  筐体、８  可変容積チャンバ，第１チャンバ、９  生成手段、１１  内壁部、１２  第２チャンバ、１４  第１メインライン、１５  バルブ、１７  第２メインライン、１８  バルブ、１９  温度制御ライン、２０  ポンピングする手段、２１  バイパスライン、２２  バルブ、２３〜２５  接続部、２６，２７  圧力計、２９  圧力スイッチ、３１  生成器、３２  選択バルブ、３３  出口開口部、３４  第１入口開口部、３５  第２入口開口部、３６  選択器
【図１】
2010023514.tif 000003
【外国語明細書】
2010023514.tif 000004
2010023514.tif 000005
2010023514.tif 000006
2010023514.tif 000007
2010023514.tif 000008
2010023514.tif 000009
2010023514.tif 000010
2010023514.tif 000011
2010023514.tif 000012
2010023514.tif 000013
2010023514.tif 000014
2010023514.tif 000015
2010023514.tif 000016
2010023514.tif 000017
2010023514.tif 000018
2010023514.tif 000019
2010023514.tif 000020
2010023514.tif 000021
2010023514.tif 000022
2010023514.tif 000023
2010023514.tif 000024